(57)【要約】  本発明は、雄ファスニング手段のパッチ、特に、曲げ抵抗を減少させたフックパッチを提供する。本発明によるパッチは、複数の雄ファスニング要素、特に、フック要素を含むバッキングを含む。パッチは一体化されており、複数の切込みを含む。該切込みは、パッチの全幅にわたって延在しないが、パッチの交差方向にわたって少なくとも１つの無傷のブリッジを残すのが好ましい。さらに、製造業者と使用者の端部とを有するファスニングテープタブが提供され、ファスニングテープタブは本発明による少なくとも１つのファスニングパッチを使用者の端部のその主面に含む支持層を含む。さらに、本発明によるパッチが切断されるストリップが提供される。
2008522730.tif 000002
【特許請求の範囲】
【請求項１】
その長さに沿って２つの長手方向端部を有する雄ファスニング手段の細長いストリップであって、前記ストリップが複数の雄ファスニング要素を含むバッキングを含み、前記ストリップが一体化され、前記ストリップの可撓性を増大するために前記ストリップが切り裂かれた複数の切込み（３，３’）を有するストリップ。
【請求項２】
前記ストリップがその長手方向端部間でその交差方向に実質的に一定の幅を有する請求項１に記載のストリップ。
【請求項３】
前記切込み（３，３’）の少なくともいくつかが前記ストリップの一方の端部ラインを通して延在している請求項１または２に記載のストリップ。
【請求項４】
前記切込み（３，３’）の少なくともいくつかが前記ストリップの他方の端部ラインを通して延在している請求項３に記載のストリップ。
【請求項５】
前記切込み（３，３’）の少なくともいくつかが、それらが前記２つの端部ラインを通して延在しないように配置されている請求項１〜４のいずれか一項に記載のストリップ。
【請求項６】
前記切込み（３，３’）の少なくともいくつかが前記ストリップの交差方向に実質的に延在している請求項１〜５のいずれか一項に記載のストリップ。
【請求項７】
前記切込み（３，３’）の少なくともいくつかが前記ストリップの交差方向に傾斜した方向に延在している請求項１〜６のいずれか一項に記載のストリップ。
【請求項８】
前記切込み（３，３’）が前記ストリップの交差方向にわたって少なくとも１つの無傷のブリッジ（４）を残す請求項１〜７のいずれか一項に記載のストリップ。
【請求項９】
前記ブリッジ（４）が前記ストリップの交差方向に中心に配置されている請求項８に記載のストリップ。
【請求項１０】
前記ブリッジ（４）が前記ストリップの一方または両方の端部ラインに沿って延在している請求項８に記載のストリップ。
【請求項１１】
前記少なくとも１つのブリッジ（４）の幅が約１０ｍｍ未満、好ましくは約５ｍｍ未満、より好ましくは約３ｍｍ未満である請求項８〜１０のいずれか一項に記載のストリップ。
【請求項１２】
前記ストリップの前記長さ方向における近接する切込み（３，３’）間の前記距離（ｄ）が約７０ｍｍ未満、より好ましくは約１５ｍｍ未満、より好ましくは約７ｍｍ未満である請求項１〜１１のいずれか一項に記載のストリップ。
【請求項１３】
前記切込みの少なくともいくつかが切断部（３）である請求項１〜１２のいずれか一項に記載のストリップ。
【請求項１４】
前記切断部が前記ストリップから材料を除去しない請求項１３に記載のストリップ。
【請求項１５】
前記切込みの少なくともいくつかが切取り部（３’）である請求項１〜１４のいずれか一項に記載のストリップ。
【請求項１６】
前記切取り部（３’）が三角形、矩形、長方形または正弦形状を有する請求項１５に記載のストリップ。
【請求項１７】
前記雄ファスニング手段がフックである請求項１〜１６のいずれか一項に記載のストリップ。
【請求項１８】
パッチ（２）が請求項１〜１７のいずれか一項に記載のストリップから切断され、前記パッチが複数の雄ファスニング要素を含み、少なくとも１つの前記切込み（３，３’）を含む雄ファスニング手段の一体化パッチ（２）。
【請求項１９】
製造業者の端部（１１）と使用者の端部（１２）とを有するファスニングテープタブ（１０）であって、前記ファスニングテープタブ（１０）が、支持層（１）と、前記使用者の端部（１２）の領域においてその主面の１つに請求項１８に記載の少なくとも１つのパッチ（２）とを含み、前記パッチ（２）が、前記テープタブ（１０）の前記製造業者の端部（１１）に対向する近位端と、前記テープタブ（１０）の前記使用者の端部（１２）に対向する遠位端とを有するテープ。
【請求項２０】
前記支持層が、少なくとも１つの切込み（３，３’）が前記パッチを切り裂く場所で少なくとも連続している請求項１９に記載のテープタブ（１０）。
【請求項２１】
前記パッチの前記少なくとも１つの切込み（３，３’）が、前記パッチ（２）の前記近位端の前記端部ライン（２１）を通して延在している請求項１９または２０に記載のテープタブ（１０）。
【請求項２２】
前記少なくとも１つの切込み（３，３’）が、前記パッチ（２）の前記遠位端の前記端部ライン（２２）を通して延在している請求項１９または２０に記載のテープタブ（１０）。
【請求項２３】
前記パッチが少なくとも２つの切込み（３，３’）を含み、前記切込みの少なくとも１つが前記パッチ（２）の前記近位端の前記端部ライン（２１）を通して延在しており、前記切込みの少なくとも１つが前記パッチ（２）の前記遠位端の前記端部ライン（２２）を通して延在している請求項１９〜２２のいずれか一項に記載のテープタブ（１０）。
【請求項２４】
製造業者の端部（１１）と使用者の端部（１２）とを有するファスニングテープタブ（１０）であって、前記ファスニングテープタブ（１０）が、支持層（１）と、前記使用者の端部（１２）の領域においてその主面の１つに雄ファスニング手段の少なくとも１つのパッチ（２）とを含み、前記パッチ（２）が複数の雄ファスニング要素を含むバッキングを含み、前記パッチ（２）は一体化され、前記パッチを切り裂いた少なくとも１つの切込み（３，３’）を有し、前記支持層（１）が前記パッチの少なくとも１つの切込み（３，３’）の位置で少なくとも連続しているテープタブ（１０）。
【請求項２５】
製造業者の端部（１１）と使用者の端部（１２）とを有するファスニングテープタブ（１０）であって、前記ファスニングテープタブ（１０）が、支持層（１）と、前記使用者の端部（１２）の領域においてその主面の１つに雄ファスニング手段の少なくとも１つのパッチ（２）とを含み、前記パッチ（２）が複数の雄ファスニング要素を含むバッキングを含み、前記パッチ（２）は一体化され、前記パッチ（２）を切り裂いた少なくとも２つの切込み（３，３’）を有し、前記パッチ（２）は、前記テープタブ（１０）の前記製造業者の端部（１１）に対向する近位端と、前記テープタブ（１０）の前記使用者の端部（１２）に対向する遠位端とを有し、前記切込み（３，３’）の前記少なくとも１つが前記パッチ（２）の前記近位端の前記端部ライン（２１）を通して延在し、前記切込みの少なくとも１つが前記パッチ（２）の可撓性を増大するために前記パッチ（２）の前記遠位端の前記端部ライン（２２）を通して延在しているテープタブ（１０）。
【請求項２６】
請求項１〜１７のいずれか一項に記載の細長いストリップを製造する方法であって、
その長さに沿って２つの長手方向端部を有する雄ファスニング手段の細長いストリップを提供する工程と、
前記ストリップの複数の切込み（３，３’）を切断して、前記切込み（３，３’）のいずれも前記ストリップの前記幅を通して延在せず、それによって前記ストリップを一体化させる工程と
を含む方法。
【請求項２７】
前記切取り部（３’）が、前記切込みを入れたストリップを縦方向に伸張することにより前記ストリップに形成される請求項２６に記載の方法。
【請求項２８】
前記パッチ（２）を前記支持層（１）に取り付ける前に、少なくとも１つの切込み（３，３’）が前記パッチ（２）に入れられている請求項１９〜２５のいずれか一項に記載のファスニングテープタブ（１０）の製造方法。
【発明の詳細な説明】
【技術分野】
【０００１】
本発明は、雄ファスニング手段のストリップ、特に、高可撓性を有するフックストリップ、およびファスニングラミネート、特に、ファスニングテープタブに用いられる、そこから切断されたパッチに関する。かかるファスニングテープタブは、メカニカル封止コンポーネントとしておむつや女性用衛生物品に特に用いられる。
【背景技術】
【０００２】
例えば、使い捨ておむつに用いられる公知のファスニングテープタブは、通常、おむつの接合部を併せて固定するために、ファスニング手段のパッチをその主面の１つに有する支持層を含む。ファスニング手段の該タブは、例えば、通常、ファスニングテープタブの全幅にわたって延在するフックパッチを含む。従って、フックパッチの全幅および長さが、ファスニングテープタブの曲げ性能に加わる。フックパッチは、比較的剛性の材料で構成されているため、ファスニングテープタブが着用者の動きに合うほど十分に可撓性ではなく、着用者の着心地を低下させるという問題を引き起こす恐れがある。近頃一般的な伸縮性のあるファスニングテープタブ、特に、プルアップおむつやトレーニングパンツのようないわゆる羽つき（ｂｉｇ−ｅａｒ）用途の場合に、ファスニングテープタブの幅が大きいと、これはより重大である。
【０００３】
米国特許第６，１４６，３６９Ａ号明細書には、伸張性フェースストックと通常の非伸張性メカニカルファスナのラミネートを含む使い捨ておむつのための伸張性タブファスナが記載されている。非伸張性メカニカルファスナは、その少なくとも非伸張性部分に、所望の伸張性の方向に間隔のあいた位置で単数または複数の非伸張性部分の厚さを通じて延在する複数の別個の界面または分割面を提供することにより、伸張性が付与される。
【０００４】
欧州特許出願公開第０  ７７５  ６６５Ａ号明細書には、下着の前後領域を係合解除可能に接合するためのテープファスナを有する使い捨て下着が記載されている。テープファスナは、テープファスナの全体が瞬時に無意識に係合解除されるという問題をなくすために、軟性ベースパネル部材と、ベースパネル部材の内側表面にボンドされた少なくとも２つの比較的剛性のファスニングパネル部材とを含む。
【０００５】
米国特許第６，５７５，９５３Ｂ号明細書には、検査の目的で物品の内部への容易な接近を提供しつつ、よいフィット性を与えることを目的とした吸収胴体とファスニングシステムとを有する使い捨て吸収物品が記載されている。吸収物品のファスナは、ヒンジ領域を含むファスニングコンポーネントを形成する別個のフックパッチを含む。
【０００６】
欧州特許第０  １１３  ４６４Ｂ号明細書には、中間領域、接着領域およびフィンガーリフト部分を含むおむつに提供されたウエストバンドが開示されている。中間部分か接着部分のいずれか、またはその両方に交差方向にスリットが入れられていて、これらの部分が互いに独立して機能できるようになっている。
【０００７】
米国特許公開第２００２／００１６５８１号明細書には、フックファスニング要素を有するファスニングシステムが開示されている。ファスニング要素は、物品に部分的に結合したアタッチ部分、アタッチ部分から延在している少なくとも１つのリフト可能な部分、および耐荷重の主たる方向に対して９０°未満の角度で配置された少なくとも１つのヒンジラインを含む。ヒンジラインが間に配置されていて、アタッチ部分とリフト可能な部分とを分離している。
【０００８】
国際公開第９６／１９１７４号パンフレットには、メーカーのボンド端部と、メカニカルファスナコンポーネントを含み、少なくとも１．５：１の係合解除比を有するよう構成された使用者の端部とを含むファスニングタブが記載されている。使用者の端部は多葉であってもよいし、メカニカルファスナコンポーネントにおいてシアーチャネルを画定していてもよい。
【０００９】
曲げ性能の改善された、雄ファスニング手段のストリップ、該ストリップから切断される雄ファスニング手段のパッチ、特に、フックストリップのパッチを提供することが望まれている。ファスニングパッチは、従来の切断パッチよりもさらに可撓性でありながら、適当に扱い易いと有利である。かかるファスニングパッチを含むファスニングテープタブを提供することも望まれている。例えば、ファスニング手段を乳児や成人のおむつ、または女性用衛生物品、特に、いわゆる羽つき用途に用いるとき、ファスニングテープタブは、着用者の着心地を向上させ、着用者の皮膚に赤い跡が付く危険性を減じるために、着用者の体形および動きに合うことができるものでなければならない。より一般的には、ファスニングテープタブは、取り付けられる表面に良好に合うものでなければならない。
【００１０】
本発明によれば、可撓性が改善され、曲げ抵抗が減少した雄ファスニング手段のパッチ、およびかかるパッチを切断可能なストリップが提供される。本発明によるパッチは、複数の雄ファスニング要素、特に、フック要素を含むバッキングを含む。パッチは、雄ファスニング手段の細長いストリップ、例えば、フックストリップから切断されるのが好ましく、その長さに沿って２つの長手方向端部、すなわち、パッチが切断されたストリップの縦方向に両方とも実質的に延在している２つの端部ラインを有している。交差方向は、平らなパッチの面において縦方向に垂直な方向と定義される。フックという用語は、対応のランディングゾーンと共にフック・アンド・ループファスナを形成するのに好適な全てのタイプのフックを表す。フックは、マッシュルームタイプのフックをはじめとするあらゆる種類の形状を有していてよい。パッチは一体化されており、少なくとも１つの切込みを含む。ここで用いる「一体化」という用語は、パッチがワンピースを形成する、すなわち、切込みが完全には貫通していないことを意味する。ここで、切込みという用語は、ナイフやはさみで作製した切込みのような切込みを作製した基材（例えば、ストリップ）から材料が除去されていない切込み、また、基材へ切込みが切込まれるときに、基材から材料が除去される切込みの両方を表す。以下では、後者の切込みは切取り部と呼ばれる。
【００１１】
該少なくとも１つの切込みは、パッチの全幅にわたって延在しないが、パッチの交差方向にわたって材料の少なくとも１つの無傷のランドを残す。このように、縦方向のパッチの部分は未切断である。切込みは、パッチの一端部または両端部ラインに沿って延在していてもよい。少なくとも１つの切込みが、パッチの交差方向に実質的に延在しているのが好ましい。しかしながら、切込みはまた、交差方向と縦方向との間の方向にも延在させることができる。パッチの端部ラインの一方を通して延在する切込みは、他方の端部ラインを通して延在する、例えば、パッチの中心の同じスポットを向いた交差方向に延在する切込みと並んでいてもよいが、２つの端部ラインに沿って縦方向に交互に配置させてもよい。２つの端部ラインを通って延在する切込みは、それぞれ、パッチの中心に向かうそれぞれの端部ラインから同じまたは異なる長さを有することができる。一方の側と他方の側からの切込みが、同じスポットを向いておらず、交互になっている、すなわち、ファスニングパッチの縦方向にずれているときに、異なる切込み長さの選択も存在する。さらに、切込みはまた、縦方向と交差方向との間で角度をなして延在させてもよい。
【００１２】
未切断材料のランドは、ストリップの長手方向（縦方向）に延在する無傷の材料のブリッジを提供するのが好ましい。無傷の材料の残りの狭いブリッジの幅は、可撓性は増大させるが、パッチへとそれを切断する前にストリップに十分な強度を与えて、ストリップの処理および変形を可能とするように選択しなければならない。残りのブリッジの幅は、好ましくは約１０ｍｍ未満、より好ましくは約５ｍｍ未満、より好ましくは約３ｍｍ未満であるが、幅はいずれの場合も０ｍｍを超える、好ましくは少なくとも１ｍｍである。切込みがストリップの両端部ラインを切り裂く場合には、残りのランドは、ストリップの長手方向に並んでいなくてもよい。残りのランドは、曲線のブリッジを、例えば、ストリップの長手方向に略延在する無傷の材料の連続しているが曲線の経路を形成してもよい。
【００１３】
縦方向の同じ端部の切込み間の距離は、約７０ｍｍ未満、より好ましくは約１５ｍｍ未満、さらにより好ましくは約７ｍｍ未満とすることができる。距離は好ましくは少なくとも２ｍｍ、より好ましくは少なくとも４ｍｍ、さらにより好ましくは少なくとも５ｍｍである。
【００１４】
切込みはまた、２つ以上の無傷の細いブリッジがパッチの交差方向にわたって提供されるやり方で設計することもできる。幅広のストリップおよび大きなパッチを用いるとき、これは好ましい。
【００１５】
本発明による切込みは、例えば、回転ナイフ、レーザーカット、穿孔またはその他技術を用いて、ストリップに切断されてもよい。かかる切込みは、任意の形状を有し、例えば、三角、矩形、楕円、曲線、Ｔ形としたり、不規則形状を有することもできる。
【００１６】
パッチが切断される細長いストリップの長手方向端部は、互いに平行な直線端部ラインである必要はない。また、波形端部ラインのような不規則または規則パターンの端部ラインをこの目的で用いることもできる。ストリップの各側に波形端部ラインを備えたストリップは、少なくとも２つのストリップが、一方のストリップの波形端部ラインが他方のストリップの波形端部ラインに、例えば、入れ子構成で対応するように、互いに近接するストックロールから切断されるという点で、固有の廃棄物が最小で、ストックロールから切断できるのが好ましい。かかるストリップは、様々な用途に用いることができる。波形端部ストリップへさらに切込みを追加すると、ストリップの可撓性がさらに増大する。端部の波の振幅および周波数に係らず、ブリッジを形成するストリップ材料のまだ無傷の中心が、必要な強度を縦方向に分配し、高振幅および周波数の波形端部を有するストリップは、材料の狭幅ピースがその端部ラインに沿って切込みを入れられるストリップと同様に作用する。波形切断端部ラインの代わりにまた、三角形、鋸刃状、矩形または略曲線の特徴を備えたストリップ端部など同じまたは同様のやり方で作用するその他の好適な端部形状を提供してもよい。
【００１７】
本発明による切込みはまた、ファスニングストリップおよびパッチに切取り部の形態で提供されてもよい。かかる切取り部は、ストリップまたはパッチに切込みを入れることにより、例えば、材料の狭幅ピースをダイカットすることにより得られる。切取り部は、ファスニングストリップおよびパッチの曲げ性能を増大するのに好適な三角形、矩形、楕円形、正弦、略曲線または任意のその他形状を有していてよい。
【００１８】
本発明は、製造業者の端部と使用者の端部とを有するファスニングテープタブをさらに提供する。本発明のファスニングテープタブは、使用者の端部の領域のその主面の１つに、本発明による少なくとも１つのファスニングパッチを有する支持層を含む。パッチは、テープタブの製造業者の端部に対向する近位端と、テープタブの使用者の端部に対向する遠位端とを有する。ファスニングテープタブの支持層は、ファスニングパッチの少なくとも切込みの位置で連続していてもよい。切込みはまた、特に、少なくとも１つの切込みがパッチの近位端の端部ラインを通して延在していて、少なくとも１つの切込みがパッチの遠位端の端部ラインを通して延在している場合には、支持層とパッチの両方を通して延在していてもよい。
【００１９】
さらに、ファスニングパッチが切断される雄ファスニング手段のストリップおよび本発明のかかるストリップおよびパッチを製造する方法、並びに、ファスニングテープタブの製造方法が提供される。
【００２０】
本発明において出発材料として用いることのできるフックストリップは、当業者に公知である。本発明に用いるフックストリップは、例えば、米国特許第４，８９４，０６０号明細書、米国特許公開第２００４／０１１１８４４号明細書、米国特許公開第２００３／０１４５４４０号明細書、米国特許公開第２００３／０１８２７７６号明細書および米国特許公開第２００４／００６８８４８号明細書に記載されている。フックヘッドのないステムウェブをはじめとするフックウェブについての一般的な背景情報は、例えば、米国特許第５，０７７，８７０号明細書、米国特許第５，６０７，６３５号明細書、米国特許第５，６７９，３０２号明細書、米国特許第６，１３２，６６０号明細書、米国特許第６，０５４，０９１号明細書、米国特許第６，０３９，９１１号明細書、米国特許第６，０００，１０６号明細書、米国特許第５，８７９，６０４号明細書、米国特許第５，８６８，９８７号明細書、米国特許第５８４５３７８５号明細書、米国特許第５，８４５，３７５号明細書、米国特許第６，６３５，２１２号明細書、米国特許第６，５５８，６０２号明細書にある。本発明において出発材料として用いてよいフックストリップは、例えば、米国、セントポールの３Ｍカンパニー（３Ｍ  Ｃｏｍｐａｎｙ，Ｓｔ．  Ｐａｕｌ，ＵＳＡ）より入手可能なＣＳ−６００またはＣＳ−１０１０という商品名で市販されている。
【００２１】
本発明のファスニングテープタブは、乳児や成人のおむつまたは女性用衛生物品に用いてよい。しかしながら、本発明はパーソナルケア物品に限定されず、ファスニングパッチまたはファスニングテープタブが、フックパッチが取り付けられる物品の動きに容易に合うことが重要な他の産業用途に用いてもよい。かかる用途には、例えば、室内装飾、車および飛行機産業またはその他テキスタイル用途がある。
【００２２】
本発明のファスニングパッチは、切込みのために、パッチの剛性が減じ、パッチが提供されるファスニングテープタブの可撓性が高くなるという特有の利点を与える。パッチが切断されるストリップとパッチが一体化されているため、縦方向に変形するだけの十分な強度が提供される。切込みのあるファスニングパッチにより曲げ力が減じるため、ファスニングテープタブは、パッチが取り付けられる物品の形状または動きに、例えば、おむつの使用者の動きに良好に合う。従って、着用者の着心地が向上し、着用者の皮膚に赤い跡が付く危険性が減じる。曲げ易くなるため、フックとループコンポーネントがより同時に動くことができ、パッチのフックが、その係合表面から、例えば、ループ表面から係合解除される危険性も減少する。ファスニングテープタブの幅が、そしてパッチの幅が大きくなればなるほど、この利点は大幅に増大する。さらに、本発明のパッチにより、パッチの面における可撓性も、該面における曲げに対するその抵抗が低いため、増大する。
【００２３】
本発明を図面を参照して以下により詳細に説明する。
【発明を実施するための最良の形態】
【００２４】
図１（ａ）は、本発明の実施形態による、例えば、おむつに用いるファスニングテープタブ１０を示す。ファスニングテープタブ１０は、製造業者の端部１１と使用者の端部１２とを有する。ファスニングテープタブ１０は、基材または支持層１と、本発明による雌ファスニング手段、好ましくはフック手段の少なくとも１つの予備切断パッチ２とを含む。予備切断パッチ２は、支持層の使用者の端部１２の主面に配置されている。パッチ２は、テープタブ１０の製造業者の端部１１に対向する近位端と、テープタブ１０の使用者の端部１２に対向する遠位端とを有する。端部ライン２１は、パッチ２の近位端に位置しており、端部ライン２２はパッチ２の遠位端に位置している。ファスニングテープタブ１０は幅３０を有しており、フィンガーリフト部分５をさらに含む。
【００２５】
予備切断パッチ２は、フックストリップから切断されるのが好ましく、少なくとも１つの切込み３を含む。支持層１は、不織または織テキスタイルウェブまたは薄い可撓性ポリオレフィンバッキングから構成されているのが好ましい。本発明の切込みのある、または予備切断ファスニングパッチ２は、接着剤、超音波溶接、熱カレンダ加工、ステッチングまたはその他好適な技術を用いることにより、支持層１に取り付けてもよい。
【００２６】
図１（ａ）に、本発明による予備切断フックストリップの好ましい実施形態の概略を示す。図１（ａ）に示すフックストリップ２は、パッチ２の交差方向に両端部ライン２１、２２を通して延在する６つの切込み３を含む。両端部ラインから延在する３つの切込み３はそれぞれ並んでおり、同じ長さを有する。しかしながら、２つの端部ラインにある切込みはまた、異なる長さを有していてもよい。それぞれ両端部ラインから延在する切込み３は、パッチ２の交差方向の中心にある無傷のブリッジ４を残す。切込みが両端部ラインに異なる長さを有する場合には、ブリッジは中心にない。無傷のブリッジ４は１０ｍｍ未満、好ましくは５ｍｍ未満、より好ましくは３ｍｍ未満の幅を有する。しかしながら、ブリッジ４の幅は、いずれの場合も０ｍｍを超え、そこから切断されるパッチおよびストリップを処理可能とするために、好ましくは少なくとも１ｍｍでなければならない。縦方向に続く切込み３間の距離ｄは、７０ｍｍ未満、好ましくは１５ｍｍ未満、より好ましくは７ｍｍ未満、好ましくは少なくとも２ｍｍ、または少なくとも４ｍｍである。後の切込み３間の距離ｄは、図１に示すとおり、等しくても、異なっていてもよい。
【００２７】
図１（ｅ）に、図１（ａ）に示すＡ−Ａ線に沿った図１（ａ）のファスニングテープタブ１０の概略断面図を示す。切込み３は、フックパッチ２を通して延在しているが、支持層１は通っていない。材料を除去せずに切断することにより得られた切込み３は、分かりやすくするために、図１（ｅ）では縮尺は合っていない。
【００２８】
図１（ｂ）に、切込み３の配置のさらなる実施形態を示す。本実施形態において、パッチ２の両端部ラインに配置された切込み３は、互いに並んでおらず、交互の配置である。図１（ｂ）に示す実施形態において、パッチの縦方向に残った無傷の直線のブリッジはないが、ストリップの連続経路を形成する無傷の曲線ブリッジが存在する。処理に必要な安定性は、切込み３の交互の配置のために維持される。
【００２９】
図１（ｃ）に示す実施形態において、切込み３はパッチ２の端部ラインの１つを通して延在せず、パッチ２の中心にあって、パッチ２の両端部ラインに沿って２つの無傷のブリッジ４および４’を残す。
【００３０】
図１（ｄ）に示す実施形態は、パッチの遠位端に非直線の端部ライン２２を有する本発明によるパッチ２を含むファスニングテープタブ１０を示す。切込み３は図１（ａ）に示すとおり並んでいる。図１（ｄ）に示す実施形態において、フィンガーリフト領域はファスニングテープタブの使用者の端部１２に提供されていないが、パッチ２はファスニングテープタブの使用者の端部１２に延在している。使用者がファスニングテープタブをリフトできるよう、フックまたは潰れたフックのない領域を、パッチ２の外側部分５’に提供して、不快にせず、使用者の端部１２を握れるようにする。
【００３１】
図２に、本発明のパッチ２の切込み３の変形配置を示す。本実施形態において、切込み３は、幅３１を有するパッチ２の１つの端部ライン２１から延在しているだけである。切込み３は、パッチ２の端部ライン２１に垂直には延在しておらず、パッチ２の交差方向に対してある角度で傾斜している。角度は１０度から８０度の範囲、好ましくは３０度から６０度、最も好ましくは約４５度である。本実施形態において、無傷のブリッジ４は、切込み３が延在する端部ライン２１の反対に位置する端部ライン２２に沿って配置されている。
【００３２】
図３に、本発明の変形実施形態を示す。この変形実施形態によれば、本発明のパッチ２に提供された切込み３’は、パッチ２の一方か両端部ラインのいずれかに形成された切取り部として形成される。かかる切取り部は、ストリップから材料に切込みを入れることにより形成することができる。切取り部を形成する他のやり方は、切込みのあるストリップを縦方向に伸張して、ストリップに切込みを入れる位置に切取り部が形成されるようにするものである。
【００３３】
本実施形態において、少なくとも１つの端部ラインまたは両端部ラインが波形端部パターン、例えば、正弦端部パターンを有するようなやり方で波形端部ナイフにより切断されるフックストリップを用いる。フックストリップの両側は、異なる波形端部幾何形状、例えば、異なる周波数の正弦曲線を有していてもよい。図示されたものの隣の相補フックストリップはまた、相補波形端部を備えた機能するものでもあるので、廃棄物を出すことなく切断が実施される。この場合、材料は除去されない。波形端部は、フックストリップの狭い中心部が尚そのままで、ブリッジ４を残すような形状とする。このように、提供される合計のフック領域は、曲げ力に主に寄与する狭い中心部に比べて非常に大きい。
【００３４】
波形端部の形状を、様々なやり方、例えば、周波数や振幅で数学的に変更するばかりでなく、曲線の形状も、例えば、矩形など、異なっていてもよい。矩形形状であると、振幅が、切取り部の深さを決め、周波数が、切取り部の頻度、または切取り部間の距離を決める。
【００３５】
図３に、両側に大きな波形端部フックウィング６を備えた中心にそのまま残ったフックストリップを示す。無傷のブリッジ４が、パッチに十分な強度を与える。
【００３６】
図３に示すフックパッチについては、同じサイズの直線端部を有するパッチに比べて曲げ力は減少する。図３に示す実施例において、無傷のブリッジ４の面積対パッチ２の合計面積の比率は僅か約２３％である。すなわち、パッチ２の面積の僅か２３％が、パッチ２の曲げに寄与し、一方、パッチ２の合計面積はパッチ２のファスニング性能に寄与する。パッチ２の全面積は、相補ファスニング手段、例えば、取り付けることのできる本発明のファスニングパッチの片方を形成するループ表面と係合可能なファスニング手段を含むからである。すなわち、合計面積の７７％は、ファスニングタブの曲げ性能に主に寄与する無傷のブリッジ４の外側にある。直線端部を有し、切込みのないパッチの場合には、上記比率は１００％である。すなわち、ファスニング性能に寄与する全面積がパッチの曲げにも寄与する。無傷のブリッジの面積対パッチの合計面積の比率は、好ましくは５０％未満、好ましくは４０％未満、より好ましくは３０％未満、さらに２０％未満である。
【００３７】
正弦波は、さらに変化させて、矩形幾何形状にすることができる。本発明のさらなる実施形態において、切込みは、フックストリップの片側または両側に提供される三角形の切取り部の形態で提供することができる。
【００３８】
本発明によるパッチは、乳児または大人のおむつのフック封止コンポーネントとして用いることができる。これまでのものでは、曲げていないおむつの面に垂直な方向を指し示すベクトルで動かすと、おむつの使用者からのパッチの力がかかって、パッチが曲がる。かかる力は、使用者の、特に、おむつ着用時は身体の動きによって生じる場合もある。曲げ力は、本発明による切込みのあるパッチにより減少する。このように、ファスニングテープタブは、おむつの使用者の動きにより良好に合って、着用者の着心地を向上させ、赤い跡をあまり付けない。曲げ易くなるため、フックとループコンポーネントがより同時に動くことができるため、おむつのループ表面からフックが係合解除される危険性も減少する。ファスニングテープタブ、そしてパッチの幅が大きくなればなるほど、この利点は大幅に増大する。本発明の予備切断フックパッチはまた、幅広の大きな弾性または非弾性おむつの羽、例えば、プルアップおむつまたはコンバーティブルにも用いることができる。
【００３９】
本発明の切込みのあるファスニングパッチは、女性用物品にも用いることができる。特許文献には、アタッチメントシステムとして用いられる様々なフック封止システムが記載されている。これらの非常に大きなフックストリップは、パンティーライナーの曲げ剛性に寄与する。しかしながら、この実際の用途においては、最終物品の可撓性が大きいことが重要である。切込みのあるフックパッチは、曲げないときのその面に垂直な方向のパンティーライナーの可撓性を大きくして、パンティーライナーがより良く身体の形状に合う。
【００４０】
さらに、本発明は、おむつや女性用衛生物品などのパーソナルケア物品に限定されず、フックパッチまたはファスナテープタブが、フックパッチが取り付けられる物品の動きに合うことが重要な他の産業用途に用いてもよい。用途には、例えば、室内装飾、車、特に、車のルーフライナ、飛行機産業またはその他テキスタイル用途がある。
【００４１】
特に、切込みが片側端部のみから延在していて、無傷の材料が対向端部に直接ある場合には、無傷の材料の側部に向かってストリップの面を折り畳んだりしわを寄せることなく、本発明の雄ファスニング手段の切込みのあるストリップを容易に曲げることができる。曲げる際、切込み３または切取り部３’が、特に、かかる切込みまたは切取り部が延在する側端で広がる。例えば、接着剤がコートされた切込みのあるフックストリップだと、フックストリップを物品に接合して、折り畳んだりしわを寄せずに、フックストリップを片側に曲げることが可能であることが分かった。より長いフックストリップを非衛生市場で用いる曲線用途においては、この傾向は特に有利である。
【００４２】
以下に、フックパッチおよびストリップの例を説明する。例示のフックストリップは、米国、セントポールの３Ｍカンパニー（３Ｍ  Ｃｏｍｐａｎｙ，Ｓｔ．  Ｐａｕｌ，ＵＳＡ）より入手可能な標準的な市販の製品を用いて製造した。特に、幅１５ｍｍの商品名ＣＳ−６００（フック１）および幅２５ｍｍのＣＳ−１０１０（フック２）を備えたフックストリップを用いた。ＣＳ−６００フックの坪量は１０８ｇ／ｍ2、フック密度は２４８フック／ｃｍ2、バッキングのキャリパは１０９μｍ、フックウェブの合計キャリパは３９０μｍである。ＣＳ−１０１０フックの坪量は１６２ｇ／ｍ2、フック密度は８１フック／ｃｍ2、バッキングのキャリパは１７３μｍ、フックウェブの合計キャリパは６５８μｍである。さらに、ドイツ、ホルツガーリンゲンのゴットリーフバインダー社（Ｇｏｔｔｌｉｅｂ  Ｂｉｎｄｅｒ  Ｇｍｂｈ＆Ｃｏ．，Ｈｏｌｚｇｅｒｌｉｎｇｅｎ，Ｇｅｒｍａｎｙ）より市販されているバインダーフック（フック３）を用いた。バインダーフックの坪量は１９４ｇ／ｍ2、フック密度は２９４フック／ｃｍ2、バッキングのキャリパは１８７μｍ、フックウェブの合計キャリパは４６３μｍである。フック密度およびキャリパは、日本の株式会社ミツトヨ（Ｍｉｔｏｔｏｙｏ  Ｃｏｒｐｏｒａｔｉｏｎ，Ｊａｐａｎ）よりＴＭ−５００測定顕微鏡（ＴＭ−５００  Ｍｅａｓｕｒｉｎｇ  Ｍｉｃｒｏｓｃｏｐｅ）という商品名で入手可能な顕微鏡を用いて測定した。
【００４３】
可撓性の尺度としての曲げ長さは、ＥＤＡＮＡ推奨の試験方法ＥＲＴ５０．５−９９に従って測定した。ＥＤＡＮＡは、ベルギー、ブリュッセルにある「欧州使い捨て不織協会（Ｅｕｒｏｐｅａｎ  Ｄｉｓｐｏｓａｂｌｅｓ  Ａｎｄ  Ｎｏｎｗｏｖｅｎｓ  Ａｓｓｏｃｉａｔｉｏｎ）」の略称である。この試験方法では、布帛の矩形ストリップを、ストリップの長軸をプラットフォームの長軸と平行にして、水平プラットフォームに支持させる。ストリップを、その長さ方向に進め、増加部がその自身の重量で突き出して下に曲がるようにする。試験片の前端部がプラットフォームの端部を通過する面に達して、水平より４１．５°下の角度で傾斜すると、突き出した長さは、試験片の曲げ長さの２倍に等しくなって、曲げ長さを計算することができる。
【００４４】
幅５ｍｍの無傷の中心にしたブリッジで５ｍｍの距離で縦方向に切込みが配置されるように切断された上述の非接着剤コートのフックストリップについてのこの試験の結果を表１に示す。
【００４５】
【表１】
2008522730.tif 000003
【００４６】
幅３ｍｍの無傷の中心にしたブリッジで１０ｍｍの距離で縦方向に切込みが配置されるように切断された非接着剤コートのフックストリップについてのこの試験の結果を表２に示す。
【００４７】
【表２】
2008522730.tif 000004
【００４８】
表１および２から明らかに分かるとおり、試験したストリップを本発明に従って切込みを入れると、曲げ長さは大幅に減少する。
【００４９】
本発明を特定の例示的実施形態を参照して説明および例示してきたが、本発明はこれら例示的実施形態に限定されるものではない。当業者であれば、添付の特許請求の範囲により規定される本発明の範囲から逸脱することなく変形および変更を行えることは分かるであろう。
【図面の簡単な説明】
【００５０】
【図１（ａ）】本発明によるパッチに提供される切込みの好ましい配置の本発明によるファスニングテープタブの概略を示す。
【図１（ｂ）】本発明によるパッチに提供される切込みの好ましい配置の本発明によるファスニングテープタブの概略を示す。
【図１（ｃ）】本発明によるパッチに提供される切込みの好ましい配置の本発明によるファスニングテープタブの概略を示す。
【図１（ｄ）】本発明によるパッチに提供される切込みの好ましい配置の本発明によるファスニングテープタブの概略を示す。
【図１（ｅ）】本発明によるパッチに提供される切込みの好ましい配置の本発明によるファスニングテープタブの概略を示す。
【図２】本発明による切込みのさらなる配置を示す。
【図３】切取り部の形態の切込みを含む本発明によるパッチの実施形態を示す。
【図１ａ】
2008522730.tif 000005
【図１ｂ】
2008522730.tif 000006
【図１ｃ】
2008522730.tif 000007
【図１ｄ】
2008522730.tif 000008
【図１ｅ】
2008522730.tif 000009
【図２】
2008522730.tif 000010
【図３】
2008522730.tif 000011
【国際調査報告】
2008522730.tif 000012
2008522730.tif 000013